(57)【要約】【課題】マニュアルで色合いを微調整可能な撮影装置において、ユーザの好みの色合いになるカラーバランス補正を正確かつ容易に行えるようにする。【解決手段】ホワイトバランス補正モード機能を備えたデジタルカメラにおいて、色差座標系によって表されるカラーチャート７０を表示するとともに、黒体放射カーブＢＬおよびＧ−ＭｇラインＣＬをホワイトバランス調整軸として表示し、また、ユーザの所望する色合いにするため、Ｒ，Ｇ，Ｂのカラーバランスを変化させる方向を案内するガイドイメージＩ１、Ｉ２を、黒体放射カーブＢＬに沿って表示する。【選択図】図３
2016052091.tif 000002
【特許請求の範囲】
【請求項１】
カラー画像信号に対し、カラーバランス調整処理を施すカラーバランス調整処理部と、
撮影画像を画面に表示するとともに、色差座標系に基づくカラーチャートを表示可能な表示処理部と、
撮影画像のカラーバランスを補正するために操作される操作部とを備え、
前記表示処理部が、カラーバランス調整軸に沿って、撮影画像の所定の色合いを示すガイドイメージを表示し、
前記カラーバランス調整処理部が、前記操作部に対する操作に応じて、カラーバランス補正処理を施すことを特徴とする撮影装置。
【請求項２】
前記表示処理部が、色差座標系において規定される黒体放射カーブを、カラーバランス調整軸として画面表示することを特徴とする請求項１に記載の撮影装置。
【請求項３】
前記表示処理部が、色差座標系において補色関係にある緑色とマゼンタ色の間を結ぶＧ−Ｍｇラインを、カラーバランス調整軸として画面表示することを特徴とする請求項１乃至２のいずれかに記載の撮影装置。
【請求項４】
前記表示処理部が、色温度の異なる複数の光源もしくは照明光に応じた複数のガイドイメージを表示することを特徴とする請求項１乃至３のいずれかに記載の撮影装置。
【請求項５】
前記表示処理部が、撮影画像の色情報に基づいて目盛の表示位置を算出し、目盛をカラーバランス調整軸上に表示することを特徴とする請求項１乃至４のいずれかに記載の撮影装置。
【請求項６】
前記カラーバランス調整処理部が、前記操作部に対する目盛に応じた操作量に従い、カラーバランスを段階的に変化させることを特徴とする請求項５に記載の撮影装置。
【請求項７】
前記操作部が、ダイヤルもしくは十字ボタンのいずれかを有することを特徴とする請求項１乃至６のいずれかに記載の撮影装置。
【請求項８】
前記表示処理部が、撮影画像の色分布を表示し、カラーバランス補正処理に応じて色分布の表示を変化させることを特徴とする請求項１乃至７のいずれかに記載の撮影装置。
【請求項９】
前記表示処理部が、撮影画像の白部分を示すインジケータを、カラーバランス調整軸に沿って表示することを特徴とする請求項８に記載の撮影装置。
【請求項１０】
前記カラーバランス調整処理部が、オートホワイトバランス調整処理後の撮影画像に対し、カラーバランス補正処理を施すことを特徴とする請求項１乃至９のいずれかに記載の撮影装置。
【請求項１１】
前記カラーバランス調整処理部が、Ｒ，Ｇ，Ｂのカラーバランスを調整するホワイトバランス調整処理を施し、前記操作部に対する操作に応じて、Ｒ，Ｇ，Ｂのカラーバランスを変えるホワイトバランス補正処理を施すことを特徴とする請求項１乃至１０のいずれかに記載の撮影装置。
【請求項１２】
カラー画像信号に対し、カラーバランス調整処理を施し、
撮影画像を画面に表示するとともに、色差座標系に基づくカラーチャートを表示し、
撮影画像のカラーバランスを補正するために操作される操作部を提供する撮影方法であって、
カラーバランス調整軸に沿って、撮影画像の所定の色合いを示すガイドイメージを表示し、
前記操作部に対する操作に応じて、カラーバランス補正処理を施すことを特徴とする撮影方法。
【発明の詳細な説明】
【技術分野】
【０００１】
本発明は、デジタルカメラなどの撮影装置におけるホワイトバランス（ＷＢ）調整処理に関し、特に、マニュアルでホワイトバランス補正（微調整）など色合い調整するときの設定画面に関する。
【背景技術】
【０００２】
デジタルカメラなどでは、オートホワイトバランス調整処理によって、人の視認する色合いと同様のカラーバランスをもつ撮影画像が得られる。具体的には、Ｒ，Ｇ，Ｂのカラー画像信号に対し、Ｒ：Ｇ：Ｂの値の比が１：１：１となるようにゲイン処理が施される。これにより、光源の種類に影響されずに自然な色合いで撮影画像を得ることができる。
【０００３】
一方、オートホワイトバランス調整とは別に、ユーザが被写体像を好みの色合いに設定することが可能であり、ホワイトバランス補正（ＷＢ補正）モードを設定することにより、ホワイトバランスを微調整することができる（例えば、特許文献１参照）。
【０００４】
そこでは、ブルー・アンバー軸とグリーン・マゼンタ軸を座標軸とする微調整画面をカメラモニタに表示し、ホワイトバランスレベルを表すマーカーを座標原点に表示する。ユーザは、撮影画像を見ながら十字キーなどを操作し、マーカーをブルー・アンバー軸、あるいはグリーン・マゼンタ軸に沿って移動させ、撮影画像の色合いを暖色〜寒色、グリーン〜マゼンタの間で変化させる。
【先行技術文献】
【特許文献】
【０００５】
【特許文献１】特開２００８−７２２９７号公報
【発明の概要】
【発明が解決しようとする課題】
【０００６】
上述したＷＢ補正画面では、現在のホワイトバランス調整状態からユーザ操作によって色合いを変化させる方向を表示しているだけであり、今現在の撮影画像の色合いがユーザの望む色合いとどの程度相違し、どのように色合いを変化させていけば目的とする色合いとなるか、その指標などを表示していない。
【０００７】
したがって、ホワイトバランス補正はヒューリスティック（手さぐり的）な操作を伴うことになってしまう。例えば、夕日などを撮影する場合、ユーザが撮影画像をより明確な暖色の色合いにＷＢ補正したいとき、その色合いに変化させるための操作方向、移動量をＷＢ補正画面から伺うことができない。
【０００８】
一方、近年のデジタルカメラでは高解像度で動画撮影することも可能であり、色調整などは、業務用テレビジョンシステムと同レベルの色調整モニタリング表示が要求される場合もある。しかしながら、業務用テレビジョンシステムなどの色情報表示は、映像信号の色情報が適切であるか否かを確認するためのものであり、ユーザの好みに色合いを変化させることを想定していない。
【０００９】
したがって、ユーザがホワイトバランス補正などの色調整を行う場合、所望する色合いの状態へ誘導できる画面を表示することが求められる。
【課題を解決するための手段】
【００１０】
本発明の撮影装置は、カラー画像信号に対し、カラーバランス調整処理を施すカラーバランス調整処理部と、撮影画像を画面に表示するとともに、色差座標系に基づくカラーチャートを表示可能な表示処理部と、撮影画像のカラーバランスを補正するために操作される操作部とを備える。例えば、操作部は、ダイヤルもしくは十字ボタンのいずれかを有する。また、カラーバランス調整処理は、Ｒ，Ｇ，Ｂのカラーバランスを調整するホワイトバランス調整処理を施すことが可能である。
【００１１】
カラーチャート表示中、表示処理部は、撮影画像の色分布を表示し、カラーバランス補正処理に応じて色分布の表示を変化させるのがよい。例えば、表示処理部は、撮影画像の白部分を示すインジケータを、ホワイトバランス調整軸に沿って表示することができる。また、白部分以外の撮影画像の色情報を表す代表的なマーク、アイコンなどのイメージを表示することも可能である。
【００１２】
本発明では、前記表示処理部が、カラーバランス調整軸に沿って、撮影画像の所定の色合いを示すガイドイメージを表示する。カラーバランス調整軸は、表示しても、しなくてもよい。そして、カラーバランス調整処理部が、前記操作部に対する操作に応じて、Ｒ，Ｇ，Ｂのカラーバランスを変えるなどのカラーバランス補正処理を施す。好みの色合いに画像の色調を変えることを考慮すれば、カラーバランス調整処理部は、オートホワイトバランス調整処理後の撮影画像に対し、カラーバランス補正処理を施せばよい。
【００１３】
ユーザの色合い調整が、主に光源、照明に基づくことが多いことを考慮し、表示処理部は、色差座標系において規定される黒体放射カーブを、カラーバランス調整軸として画面表示することができる。また、表示処理部は、色差座標系において補色関係にある緑色とマゼンタ色の間を結ぶＧ−Ｍｇラインを、カラーバランス調整軸として画面表示することができる。
【００１４】
表示処理部は、色温度の異なる複数の光源もしくは照明光に応じた複数のガイドイメージを表示することができる。また、表示処理部は、撮影画像の色情報に基づいて目盛り表示位置を算出し、目盛をカラーバランス調整軸上に表示することができる。また、ホワイトバランス調整処理部は、前記操作部に対する目盛に応じた操作量に従い、Ｒ，Ｇ，Ｂのカラーバランスを段階的に変化させることが可能である。
【００１５】
本発明の他の態様における撮影方法は、カラー画像信号に対し、カラーバランス調整処理を施し、撮影画像を画面に表示するとともに、色差座標系に基づくカラーチャートを表示し、撮影画像のカラーバランスを補正するために操作される操作部を提供する撮影方法であって、カラーバランス調整軸に沿って、撮影画像の所定の色合いを示すガイドイメージを表示し、前記操作部に対する操作に応じて、カラーバランス補正処理を施す。
【発明の効果】
【００１６】
本発明によれば、マニュアルで色合いを微調整可能な撮影装置において、ユーザの好みの色合いになるカラーバランス調整を正確かつ容易に行うことができる。
【図面の簡単な説明】
【００１７】
【図１】本実施形態であるデジタルカメラのブロック図である。
【図２】デジタルカメラの背面図である。
【図３】カラーチャートを示した図である。
【図４】ホワイトバランス補正後のカラーチャートを示した図である。
【図５】ホワイトバランス補正処理のフローチャートである。
【発明を実施するための形態】
【００１８】
以下では、図面を参照して本実施形態であるデジタルカメラについて説明する。
【００１９】
図１は、本実施形態であるデジタルカメラのブロック図である。図２は、デジタルカメラの背面図である。
【００２０】
デジタルカメラ１０は、ここではコンパクト型カメラとして構成されており、図２に示すように、レリーズボタン１８、コマンドダイヤル４１、十字ボタン４３、モードダイヤル１９などに対する操作に従い、撮影、記録画像の再生、電子ズーム、ユーザによるモード設定などが行われる。カメラ背面には、ＬＣＤモニタ６０が設けられている。
【００２１】
ＣＰＵを含むコントローラ３０は、露出制御部３２、タイミングジェネレータ（図示せず）、画像信号処理回路４０などになどに制御信号を出力し、レリーズスイッチ３７によって検出されるレリーズ操作、コマンドダイヤルスイッチ４２によって検出されるダイヤル操作、十字ボタンスイッチ４４によって検出される十字ボタン操作に基づき、露出制御、撮影／記録動作などカメラ全体の動作制御を行う。カメラ動作制御のプログラムは、図示しない不揮発性メモリに記憶されている。
【００２２】
電源ＯＮ状態となって撮影モードが設定されると、被写体からの光が撮影光学系１２を通り、被写体像がイメージセンサ１４に形成される。イメージセンサ１４は、ここではＣＣＤなどの固体撮像素子によって構成されており、色フィルタアレイ（図示せず）がイメージセンサ１４の受光面上に対向配置されている。色フィルタアレイは、ここではＲ，Ｇ，Ｂのカラーエレメントを市松状に配列、あるいはベイヤー配列させた色フィルタアレイによって構成されている。
【００２３】
撮影モードでは、スルー画像をＬＣＤモニタ６０に表示するため、画素信号が所定のフレームレートでイメージセンサ１４から読み出される。読み出された画素信号は、ＡＦＥ回路１６を経由して画像信号処理回路４０に送られる。画像信号処理回路４０では、ゲイン処理、色変換処理などが画素信号に対して施される。これによって、Ｒ，Ｇ，Ｂカラー画像信号が生成される。そして、カラー画像信号に基づいてＬＣＤドライバ（図示せず）がＬＣＤモニタ６０を駆動することにより、リアルタイムの動画像がスルー画像としてＬＣＤモニタ６０の画面６０Ｓに表示される。
【００２４】
レリーズボタン１８が半押しされると、イメージセンサ１４から読み出される画素信号に基づいて、コントラスト式ＡＦ処理が実行される。コントラスト式ＡＦ処理による合焦動作とともに、イメージセンサ１４から読み出される画素信号に基づいて被写体像の明るさが検出され、露出値が演算される。
【００２５】
レリーズボタン１８が全押しされると、露出制御部３２は、図示しないシャッタ、絞り等を駆動することによって露出制御する。これにより、１フレーム分の画素信号がイメージセンサ１４から読み出される。画像信号処理回路４０は、読み出された画素信号に基づいてＲ，Ｇ，Ｂのカラー静止画像データを生成し、圧縮／非圧縮した状態で画像データをメモリカード４６に記録する。再生モードが設定されると、メモリカード４６に記憶された画像がＬＣＤモニタ６０に表示される。
【００２６】
ユーザは、モードダイヤル１９、十字ボタン４３などを操作することによって、手動によるホワイトバランス補正（微調整）モードに設定することが可能であり、ホワイトバランス補正モードが設定されると、図２に示すように、ＷＢ補正画面が表示される。ＷＢ補正画面の表示制御は、コントローラ３０によって行われる。
【００２７】
ＷＢ補正画面では、撮影画像の色分布、ホワイトバランス補正方向、補正量などを示すカラーチャート７０が、撮影画像とともに重ねて表示される。撮影画像は、ホワイトバランス補正モード中に撮影した画像でもよく、あるいは記録された再生画像を選択して表示してもよい。
【００２８】
ユーザは、コマンドダイヤル４１、あるいは十字ボタン４３を操作することにより、撮影画像のＲ，Ｇ，Ｂのカラーバランスを変化させ、赤味、青味のある撮影画像にするなど、撮影画像の色合いを好みの色合いに変更することができる。システムコントロール回路３０は、コマンドダイヤルスイッチ４２、あるいは十字ボタンスイッチ４４からの操作信号に基づき、画像信号処理回路４０におけるＲ，Ｇ，Ｂゲイン値を設定変更する。
【００２９】
図３は、カラーチャートを示した図である。図４は、ホワイトバランス補正後のカラーチャートを示した図である。図３、４を用いて、ホワイトバランス補正画面について説明する。
【００３０】
カラーチャート７０は、ベクトルスコープなどの色モニタ機器で表示される色差（Ｒ−Ｙ）、（Ｂ−Ｙ）を座標軸としたチャートであり、周方向に沿って色相、径方向に沿って彩度が表される。撮影画像に対する色情報は、色分布Ｍとなって表示される。通常、ホワイトバランス調整が自動的に働くことにより、撮影画像の白い部分Ｍ０は、原点周囲のエリアに分布表示される。
【００３１】
カラーチャート７０には、互いに直交する色差座標軸（Ｒ−Ｙ）、（Ｂ−Ｙ）とともに、黒体放射カーブＢＬが表示されている。黒体放射カーブＢＬは、色と色温度との関係を軌跡で表したラインであり、座標原点付近を通る曲線として表される。一方、チャートの色相環に関して相対する位置にある緑（Ｇ）とマゼンタ（Ｍｇ）との間には、ホワイトバランス補正方向としてＧ−ＭｇラインＣＬが表示されている。
【００３２】
ユーザは、コマンドダイヤル４１を操作してホワイトバランス補正を行うことが可能であり、黒体放射カーブＢＬ、およびＧ−ＭｇラインＣＬに沿って撮影画像の色合いを変化させる。黒体放射カーブＢＬに沿った色合いの変化は、従来のＬＢフィルタ（色温度変換フィルタ）の挿入による色合い変化に準じ、光源の色温度を寒色系〜暖色系の間で変化させるのと同等に色合い調整がされる。また、Ｇ−ＭｇラインＣＬに沿った色合いの変化は、従来のＷＢ補正画面におけるグリーン・マゼンタ軸に沿った色合い変化に対応する。
【００３３】
ユーザは、オートホワイトバランスによって調整された観察画像の色合いを、黒体放射カーブＢＬ、あるいはＧ−ＭｇラインＣＬに沿って、所望する色合いに変化させることができる。コマンドダイヤル４１が操作されると、黒体放射カーブＢＬ、あるいはＧ−ＭｇラインＣＬに沿って色合いが変化する。黒体放射カーブＢＬに沿った移動と、Ｇ−ＭｇラインＣＬに沿った移動の切り替えは、例えば十字ボタン４３の操作で行われる。
【００３４】
本実施形態では、カラーチャート７０に対し、白熱電球の照明下で撮影したときの色合いとなる位置と、日蔭で撮影したときの色合いとなる位置を表すガイドイメージＩ１、Ｉ２が、黒体放射カーブＢＬに沿って表示されている。これらは、自動的に調整されたＲ，Ｇ，Ｂのカラーバランスを意図的にずらす場合のガイド、指標となる。ガイドイメージＩ、Ｉ２の表示位置は、黒体放射カーブＢＬに沿った光源の色温度に基づいてあらかじめ定められている。
【００３５】
例えば、夕焼けの撮影画像の場合、デジタルカメラ１０によるオートホワイトバランス調整された撮影画像の色合いと、ユーザが実際に見た色合い、あるいは好みの色合いとは異なる場合がある。夕焼けの場合、撮影画像の色合いをより赤味のあるものにしたい場合がある。
【００３６】
このような場合、ガイドイメージＩ１が表示されることによって、現在の色合いをどの方向に変化させれば所望する色合いになるか、ユーザは確認することができる。コマンドダイヤル４１を左方向に回すと、色温度の低い暖色系のガイドイメージＩ１が表示されるＡ１方向に沿ってカラーバランスが変化し、コマンドダイヤル４１を右方向に回すと、色温度の高い寒色系のガイドイメージＩ２が表示されるＡ２方向に沿ってカラーバランスが変化する。
【００３７】
図４では、ユーザがガイドイメージＩ２の表示される寒色系の色温度に変化させたときの撮影画像の色分布Ｍを示している。色分布Ｍの白色部分Ｍ０は、黒体放射カーブＢＬに沿ってガイドイメージＩ２の付近に移動し、これに伴って色分布Ｍの表示領域も変化する。この結果、ガイドイメージＩ２のように青味を帯びた色合いをもつ撮影画像が表示される。ガイドイメージＩ１のように赤味を帯びた色合いにする場合、逆方向にホワイトバランスが調整される。また、黒体放射カーブＢＬに沿った色合い調整の操作が行われたことに伴い、Ｇ−ＭｇラインＣＬが消去されている。ただし、Ｇ−ＭｇラインＣＬをそのまま表示してもよい。
【００３８】
従来のようなＷＢ補正画面のように現在の撮影画像の色合いを基準としてそこからカラーバランスをシフトさせる方向、移動量を座標系で提示するのとは異なり、黒体放射カーブＢＬという色温度全体を俯瞰したホワイトバランス調整軸を用いて、現在のＲ，Ｇ，Ｂのカラーバランスがどの状態に位置するかを相対的に表示している。また、指標となるガイドイメージＩ１、Ｉ２が表示されることにより、現在の撮影画像のカラーバランス状態を変化させる方向が提示される。
【００３９】
さらに、黒体放射カーブＢＬ、Ｇ−ＭｇラインＣＬには、ホワイトバランス微調整の目盛Ｓ１、Ｓ２がそれぞれ表示されている。ユーザは、目盛Ｓ１、Ｓ２に合わせて段階的に色合いを変化させることができる。目盛りＳ１、Ｓ２の間隔は、撮影画像の色合いに依存し、撮影画像の色情報に基づいて目盛り位置、目盛り間隔が算出され、表示される。
【００４０】
具体的には、オートワイトバランス調整時の撮影画像のＲ：Ｇ：Ｂのゲイン値ＧＲ、ＧＧ、ＧＢを基準としてＲ，Ｇ，Ｂの相対的な値を算出し、所望する色温度に応じたＲ：Ｇ：Ｂのゲイン値ｇｒ、ｇｇ、ｇｂに対するＲ，Ｇ，Ｂの相対的な値を算出する。その相対的なＲ，Ｇ，Ｂの値の比もしくは差に基づいて、目盛り位置を定め、カメラに設定される１ステップ幅（移動幅）に応じた目盛り間隔で目盛りが表示される。目盛り位置および目盛り間隔は、従来知られた色差信号とＲ，Ｇ，Ｂ信号との変換式に基づいて算出され、また、表示サイズ（解像度）などのカメラ特性、また、ミレッド値単位、色温度単位などの単位に基づいたゲイン値ｇｒ、ｇｇ、ｇｂを用意することで、適切な目盛り間隔を設定することが可能である。
【００４１】
このようなカラーチャート７０の表示により、赤味などを強調した撮影画像を得たい場合、どのようにホワイトバランスを微調整すればよいのかを、指標となるガイドイメージＩ１、Ｉ２によってユーザは確認することが可能となり、試行錯誤することなく所望する色合いに変えることができる。特に、撮影画像の白部分Ｍ０を黒体放射カーブＢＬに沿って表示することにより、現在の色合い座標位置、色合い変化方向をより容易に確認することができる。
【００４２】
また、ＷＢ補正対象となる撮影画像の色合いに合わせて目盛りを表示するため、所望する色合いと現在の撮影画像の色合いが大きく違う、あるいはそれほど相違ない場合などいずれにおいても、その差に合った目盛りを表示することにより、ユーザは段階的に所望する色合いへ近づくことを確認することができ、また、微妙な色合い調整も目盛りに合わせてすることができる。
【００４３】
さらに、黒体放射カーブＢＬというホワイトバランス調整軸を表示し、観察画像の白部分Ｍ０を黒体放射カーブＢＬに沿って表示することにより、オートホワイトバランス調整時に観察画像の白部分Ｍ０が何らかの原因で中心付近から外れた場合においても、ホワイトバランス調整方向を確認することができる。そして、Ｇ−ＭｇラインＣＬを設定することにより、従来のＷＢ補正と同様、ＣＢフィルタとは異なるＧ−Ｍｇ間でのカラーバランスを調整することができる。
【００４４】
図５は、ホワイトバランス補正処理のフローチャートである。
【００４５】
ホワイトバランス補正モードが設定されると、カラーチャート７０が表示されるとともに、撮影画像の色分布Ｍ、白部分Ｍ０、黒体放射カーブＢＬ、Ｇ−ＭｇラインＣＬが表示される。さらに、撮影画像の色情報から、黒体放射カーブＢＬ、Ｇ−ＭｇラインＣＬの目盛り間隔、表示位置が算出され、目盛りＳ１、Ｓ２が表示される。
【００４６】
ユーザがコマンドダイヤル４１を操作すると、その操作方向に沿ってホワイトバランス補正処理が行われる。黒体放射カーブＢＬに沿って色合いを変化させる場合、すなわちブルー・アンバー方向への操作の場合、光源、照明光の色温度がアンバー方向もしくはブルー方向となるようなホワイトバランス補正処理が施される（Ｓ１０３、Ｓ１０４）。
【００４７】
一方、Ｇ−ＭｇラインＣＬに沿って色合い変化させるための操作の場合、Ｇ−ＭｇラインＣＬに沿ってホワイトバランス補正処理が施される（Ｓ１０３、Ｓ１０５）。ＷＢ補正モードが終了するまで、ステップＳ１０２〜Ｓ１０６が繰り返し実行される。
【００４８】
このように本実施形態によれば、ホワイトバランス補正モード機能を備えたデジタルカメラにおいて、色差座標系によって表されるカラーチャート７０を表示するとともに、黒体放射カーブＢＬおよびＧ−ＭｇラインＣＬをホワイトバランス調整軸として表示し、また、ユーザの所望する色合いにするため、Ｒ，Ｇ，Ｂのカラーバランスを変化させる方向を案内するガイドイメージＩ１、Ｉ２を、黒体放射カーブＢＬに沿って表示する。
【００４９】
ガイドイメージとしては、上述した光源、照明光以外の色温度に対応するガイドイメージを表示してもよい。また、外観をモチーフにしたイメージだけでなく、文字、キャラクタなどをガイドイメージとして表示してもよい。
【００５０】
ＷＢ補正画面については、黒体放射カーブだけを表示し、ＬＢフィルタと同様に色温度変換に対応したホワイトバランス補正だけを行うようにしてもよい。黒体放射カーブ、Ｇ−Ｍｇラインに対して目盛りを表示させない構成も可能である。また、Ｇ−Ｍｇラインだけを表示し、Ｇ−Ｍｇラインに沿ってガイドイメージを表示させてもよい。
【００５１】
さらには、黒体放射カーブＢＬ、Ｇ−ＭｇラインＣＬを表示せず、ガイドイメージＩ１、Ｉ２だけを表示してもよい。この場合、十字ボタンによって色差座標系に対応する操作方向、操作量を規定することにより、ユーザはガイドイメージＩ１に向けて撮影画像の色合いを変化させることができる。撮影画像の白部分を示すイメージを表示せず、撮影画像の色分布だけ表示してもよい。
【００５２】
上述したホワイトバランス補正は、静止画像だけでなく、動画像に対して行うことも可能であり、記録画像だけでなく、シースルー画像（リアルタイム動画像）に対して適用することもできる。また、デジタルカメラ以外の撮影装置にも適用可能である。さらに、ホワイトバランス補正以外のカラーバランス、色合い調整に対しても、上述したカラーチャートにガイドイメージを表示することにより、ユーザに色合い補正方向を案内させることができる。
【符号の説明】
【００５３】
１０  デジタルカメラ
３０  コントローラ（表示処理部、ホワイトバランス調整処理部）
６０  ＬＣＤモニタ
７０  カラーチャート
ＢＬ  黒体放射カーブ（カラーバランス調整軸）
ＣＬ  Ｇ−Ｍｇライン（カラーバランス調整軸）
Ｓ１、Ｓ２  目盛
Ｉ１、Ｉ２  ガイドイメージ
Ｍ  色分布
Ｍ０  白部分（インジケータ）
【図１】
2016052091.tif 000003
【図２】
2016052091.tif 000004
【図３】
2016052091.tif 000005
【図４】
2016052091.tif 000006
【図５】
2016052091.tif 000007